(57)【要約】【課題】波長分割多重伝送システム内での波長割付をフレキシブルに変更可能とする。【解決手段】各信号入出力部と各波長送受信部の間の接続を形成することにより各端局装置との間の回線上の信号に波長分割多重方式で用いる波長を割り付ける波長割付部と、少なくとも信号入出力部と波長送受信部の状態を監視し、その監視結果に基づいて波長分割部に各信号入出力部と各波長送受信部の間の接続を形成させる制御を実行する波長管理部を設ける。【選択図】図１
2007259140.tif 000002
【特許請求の範囲】
【請求項１】
収容する端局装置ごとに設けられ該端局装置との間の回線上の信号を入力し装置内の信号に復号する信号入力部と、波長分割多重方式で用いる波長ごとに設けられ前記信号入力部から出力された信号を波長分割多重方式で用いる波長の光信号に変換する波長送信部と、該各波長送信部の出力を合波し波長分割多重信号を生成して光伝送路に送出する波長合波部を備えた波長分割多重伝送装置において、
前記各信号入力部と前記各波長送信部の間の接続を形成することにより前記各端局装置との間の回線上の信号に前記波長分割多重方式で用いる波長を割り付ける波長割付部と、
少なくとも前記信号入力部と前記波長送信部の状態を監視し、その監視結果に基づいて前記波長分割部に前記各信号入力部と前記各波長送信部の間の接続を形成させる制御を実行する波長管理部と、
を備えたことを特徴とする波長分割多重伝送装置。
【請求項２】
光伝送路から送出されてきた波長分割多重信号を各波長の光信号に分波し多重分離を行う波長分離部と、
波長分割多重方式で用いる波長ごとに設けられ前記波長分離部で多重分離された光信号を装置内の信号に復号する波長受信部と、
収容する端局装置ごとに設けられ前記波長受信部から出力された信号を各端局装置に適合した信号に変換して該端局装置との間の回線に出力する信号出力部と、
を備え、
前記波長割付部は、さらに、前記各信号出力部と前記各波長受信部の間の接続を形成することにより前記各端局装置との間の回線上の信号に前記波長分割多重方式で用いる波長を割り付け、
前記波長管理部は、さらに、少なくとも前記信号出力部と前記波長受信部の状態を監視し、その監視結果に基づいて前記波長分割部に前記各信号出力部と前記各波長受信部部の間の接続を形成させる制御を実行すること
を特徴とする請求項１に記載の波長分割多重伝送装置。
【請求項３】
前記波長管理部は、
前記各端局装置との間の回線上の信号に対して割り付けられた前記波長分割多重方式で用いる波長を管理する割付テーブルと、
前記各信号入力部と前記各信号出力部、前記各波長送信部と前記各波長受信部の状態を使用可能状態、使用不可状態、及び使用中状態で管理する状態管理テーブルを備え、
該状態管理テーブルの情報に基づいて前記割付テーブルを生成し、該割付テーブルの情報に基づいて、前記波長割付部を制御すること
を特徴とする請求項２に記載の波長分割多重伝送装置。
【請求項４】
請求項３記載の波長管理部の機能をコンピュータに実行させる波長管理プログラムにおいて、
対向装置の送受信状態及び自装置内の各部の状態情報を収集する状態情報収集ステップと、
前記状態情報収集ステップで収集した情報に基づいて、前記各信号入力部と前記各信号出力部、前記各波長送信部と前記各波長受信部の状態を記憶した前記状態管理テーブルを生成する状態管理テーブル生成ステップと、
前記生成された状態管理テーブルに基づいて、使用可能状態の信号入力部と使用可能状態の波長送信部、及び使用可能状態の信号出力部と使用可能状態の波長受信部の組み合わせを生成し、該生成された組み合わせにより前記各端局装置との間の回線上の信号に対する前記波長分割多重方式で用いる波長の割付情報を記憶する前記割付テーブルを生成する割付テーブル生成ステップと、
前記生成された割付テーブルの割付情報に基づいて前記波長割付部を制御することにより、前記波長割付部に、前記各信号入力部と前記各波長送信部の間及び前記各信号出力部と前記各波長受信部部の間の接続を形成させる波長割付制御ステップと、
前記波長割付制御ステップで接続を形成された前記各信号入力部と前記各波長送信部、及び前記各信号出力部と前記各波長受信部の前記状態管理テーブルに記憶された状態を使用可能状態から使用中状態に変更する状態管理テーブル変更ステップ
を前記コンピュータに実行させる波長管理プログラム。
【請求項５】
前記割付テーブル生成ステップにおいて、前記生成された状態管理テーブルから予め定められた優先順位にしたがって前記各信号入力部及び前記各信号出力部で使用可能状態のものを抽出し、一方前記生成された状態管理テーブルから予め定められた優先順位にしたがって前記各波長送信部及び前記各波長受信部で使用可能状態のものを抽出し、順次抽出された信号入力部と波長送信部、及び信号出力部と波長受信部の組み合わせを生成し、前記各波長送信部及び前記各波長受信部で使用可能状態のものを抽出できなければ当該ステップの処理を直ちに終了し、抽出できれば、前記各信号入力部及び前記各信号出力部で使用可能状態のものが抽出できなくなるまで前記組み合わせを生成する処理を繰り返すことを特徴とする請求項４に記載の波長管理プログラム。
【発明の詳細な説明】
【技術分野】
【０００１】
本発明は、波長分割多重方式を利用した光伝送装置またはシステムにおける、波長マネジメント方式に関する。
【背景技術】
【０００２】
近年、通信技術分野において光伝送方式が普及し、その中でも大容量の通信が可能な波長分割多重方式を利用した光伝送システム（以下、ＷＤＭシステムあるいは波長分割多重伝送システムともいう。）や光伝送装置（以下、ＷＤＭ伝送装置あるいは波長分割多重伝送装置ともいう。）が実用化されている。
【０００３】
ＷＤＭ伝送装置は、波長の異なる複数の光信号を一本の光ファイバに多重化することで、光ファイバ上の情報伝送量を飛躍的に増大させることができる。したがって、以前であれば同一対地間であってもそれぞれ個別の物理回線を使用していた複数の専用回線を一本の光ファイバに多重化して束ねることが可能となっている。
【０００４】
このような波長分割多重方式を利用した光伝送装置またはシステムについては、下記特許文献１及び特許文献２に記載されているように、ある波長を利用する送受信端の端局装置の組は決まっていることから、  従来のＷＤＭ伝送装置では、１つの伝送信号に対して１つの波長が割り当てられ、送信端局から受信端局まで同一の波長が使用されている。
【０００５】
以下、図１０により、従来のＷＤＭ伝送装置とそれを用いたＷＤＭシステムの構成を説明する。図１０においては、図が複雑になるのを防ぐため、波長分割多重伝送装置Ａ１を送信側のＷＤＭ伝送装置として、波長分割多重伝送装置Ｂ２を受信側のＷＤＭ伝送装置として片方向の通信のための構成のみ例示し、他は省略しているが、当然、波長分割多重伝送装置Ａ１及び波長分割多重伝送装置Ｂ２はそれぞれ受信側及び送信側としての機能をも有するものである。
【０００６】
図１０に示すように、波長分割多重伝送装置Ａ１は、端局装置[1A]１０−１、[2A]１０−２、・・・、[nA]１０−ｎに対向し、それぞれの端局装置からの信号が入力される信号入力部（ＴＰ）１１−１、１１−２、・・・、１１−ｎ、各信号入力部（ＴＰ）にそれぞれ対応した波長送信部λ[1A]OUT１２−１、λ[2A]OUT１２−２、・・・、λ[nA]OUT１２−ｎ、及び波長合波部４０から構成されている。
【０００７】
波長分割多重伝送装置Ａ１と光ファイバ５０で接続されている波長分割多重伝送装置Ｂ２は、波長分割多重伝送装置Ａ１から光ファイバ５０を介して送信されてきた波長分割多重信号をそれぞれの波長に分離する波長分離部６０、波長分離部６０で分離されたそれぞれの波長の信号を受信する波長受信部λ[1B]OUT１３−１、λ[2B]OUT１３−２、・・・、λ[nB]OUT１３−ｎ、各波長受信部に対応した信号出力部（ＲＰ）１４−１、１４−２、・・・、１４−ｎから構成され、各信号出力部（ＲＰ）は、端局装置[1B]１５−１、[2B]１５−２、・・・、[nB]１５−ｎに対向している。
【０００８】
端局装置[1A]１０−１、[2A]１０−２、・・・、[nA]１０−ｎと端局装置[1B]１５−１、[2B]１５−２、・・・、[nB]１５−ｎのそれぞれの間の通信路をチャネル１、チャネル２、・・・、チャネルｎとすると、信号入力部（ＴＰ）１１−１と波長送信部λ[1A]OUT１２−１、信号入力部（ＴＰ）１１−２と波長送信部λ[2A]OUT１２−２、・・・、信号入力部（ＴＰ）１１−ｎとλ[nA]OUT１２−ｎは、チャネル１、チャネル２、・・・、チャネルｎの送信信号を受信して波長分割多重方式で用いる波長λ１、λ２、・・・、λｎの光信号に変換する装置であり、特許文献１においては「送信トランスポンダ」として記載されているように、各チャネル対応に一体となって構成されている。
【０００９】
受信側の波長分割多重伝送装置Ｂ２においても同様に、波長受信部λ[1B]OUT１３−１と信号出力部（ＲＰ）１４−１、波長受信部λ[2B]OUT１３−２と信号出力部（ＲＰ）１４−２、・・・、波長受信部λ[nB]OUT１３−ｎと信号出力部（ＲＰ）１４−ｎは各チャネル対応に一体となって構成され、波長λ１、λ２、・・・、λｎの光信号を各チャネルに適当な信号に復号して端局装置[1B]１５−１、[2B]１５−２、・・・、[nB]１５−ｎに出力する。
【００１０】
したがって、従来の装置構成では、端局装置からの信号が信号入力部(ＴＰ)に入力され、波長送信部によって送信波長が割当てられると考えると、送信波長は信号入力部（ＴＰ）のチャネルによって決定されることになる。各波長送信部からの複数の信号は波長合波部で多重化され光ファイバで伝送されるが、光ファイバ上では、再生中継やＡＤＤ／ＤＲＯＰが行われることもある。そのときも、信号に割り当てられた波長は同一のものが利用されている。
【００１１】
図１１は、上述の再生中継を行う従来のＷＤＭシステムを模式的に示した図である。符号１〜９はチャネルを模式的に表しており、チャネル９は予備となっている。
ＷＤＭ伝送装置１−１とＷＤＭ伝送装置１−２は再生中継装置３を介して接続されている。再生中継装置３は、光ファイバ５０−１によりＷＤＭ伝送装置１−１から送信されてくる波長分割多重信号を各波長に分離して復号するＷＤＭ伝送装置１−１側の送受信部３−１と、復号された各チャネル信号の再生(増幅)を行う図示しない再生部と再生された信号を再び各波長の信号とし、それらを合波して光ファイバ５０−２に送出するＷＤＭ伝送装置１−２側の送受信部３−２から構成されている。なお、上記動作は、双方向的に可能である。
【００１２】
上記構成において、例えばチャネル１の信号は、ＷＤＭ伝送装置１−１で割り当てられた波長で光ファイバ５０−１を伝わって再生中継装置３においてチャネル１対応の再生部により信号再生が行われ、ＷＤＭ伝送装置１−１で割り当てられた波長と同じ波長で光ファイバ５０−２を伝わってＷＤＭ伝送装置１−２のチャネル１に伝送される。
【００１３】
もし、現用チャネル１〜８のどれかに障害が発生すると予備チャネル９が用いられるが、予備チャネル９の用いる波長も固定した予備の波長である。
このように、従来のＷＤＭシステムの構成では、端局装置からの入力信号チャネルと送信波長は固定されている。そして、送信波長と受信波長は同一のものが利用され、一度割り当てられた信号の波長が変化することはない。
【特許文献１】特開平１０−２１０００８号公報
【特許文献２】特開２０００−１１５１３２号公報
【発明の開示】
【発明が解決しようとする課題】
【００１４】
従来のＷＤＭシステムにおいては、端局装置からの信号単位（チャネル）毎に波長を割当てるため、送信側のＷＤＭ伝送装置の信号入力部から受信側のＷＤＭ伝送装置の信号出力部までの区間では使用波長は固定されており、送信側と受信側では同一波長を使用していた。このため、ＷＤＭ区間の波長の有効帯域は、運用系や予備系を問わず、信号入力部から信号出力部まで一括りとした設備を準備する必要があった。
【００１５】
このため、ＷＤＭシステム内で利用する波長帯域はシステム構成により制限され、また、信号入力部から信号出力部までの区間において、どこか1箇所でも故障が起きた場合、その区間で使用している設備は全て使用できなくなり、故障部の交換か信号入力部から信号出力部までの経路をすべて切替えるなどの対策が必要である。
【００１６】
そこで本発明は、ＷＤＭシステムの波長をマネジメントすることにより、システム内での波長割付をフレキシブルに変更可能とし、ハード的な交換、接続作業を必要としないで経路変更を可能にする波長分割多重伝送装置を提供することを目的とする
【課題を解決するための手段】
【００１７】
本発明によれば、各信号入出力部と各波長送受信部の間の接続を形成することにより各端局装置との間の回線上の信号に波長分割多重方式で用いる波長を割り付ける波長割付部と、少なくとも信号入出力部と波長送受信部の状態を監視し、その監視結果に基づいて波長分割部に各信号入出力部と各波長送受信部の間の接続を形成させる制御を実行する波長管理部を備えた波長分割多重伝送装置が提供される。
【００１８】
また、前記波長管理部は、各端局装置との間の回線上の信号に対して割り付けられた前記波長分割多重方式で用いる波長を管理する割付テーブルと、各信号入力部と各信号出力部、各波長送信部と前記各波長受信部の状態を使用可能状態、使用不可状態、及び使用中状態で管理する状態管理テーブルを備え、状態管理テーブルの情報に基づいて割付テーブルを生成し、割付テーブルの情報に基づいて、波長割付部を制御するように構成することができる。
【発明の効果】
【００１９】
本発明によれば、波長割付部での波長割付を波長管理部のソフトウェアによる制御で実行できるため、チャネルまたは波長の再配置をハード的な交換なしに動的に切り替えることができる。
【００２０】
そのため、信号入力部から信号出力部までの区間において一部が故障した際、波長割付を変更するだけで予備系路を共有経路として有効活用できるため、複数の信号に対して少ない設備で予備系を構築できる。
【００２１】
また、伝送区間ごとに独立に波長割付を行うことができるため、ＷＤＭシステム内の波長帯域を有効に利用できる。
【発明を実施するための最良の形態】
【００２２】
図１は、本発明の全体構成図である。図１０に示した従来例の場合と同様に片方向の構成のみ記載している。図１０に示した従来例とは、波長分割多重伝送装置が、信号入力部(ＴＰ)と波長送信部の間及び波長受信部と信号出力部（ＲＰ）の間に波長割付部を備え、さらに波長割付部を制御して波長を管理する波長管理部を有する点で異なり、他の部分は同様である。
【００２３】
以下、図１を参照して、本発明の全体構成について説明する。
端局装置[1A]１０−１、[2A]１０−２、・・・、[nA]１０−ｎ及び端局装置[1B]１５−１、[2B]１５−２、・・・、[nB]１５−ｎは、従来と同様に音声・データ等の情報信号を送受信する装置である。各端局装置は、それ自身１つの端末装置であってもよいが、複数の端末装置を収容したものであってもよい。
【００２４】
波長分割多重伝送装置Ａ１００は、端局装置[1A]１０−１、[2A]１０−２、・・・、[nA]１０−ｎに対応して設けられ、各端局装置からの電気又は光信号を受信し装置内の信号に復号して波長割付部２０に入力する信号入力部（ＴＰ）１１−１、１１−２、・・・、１１−ｎと、各信号入力部（ＴＰ）から入力された信号を波長管理部３０の制御に基づき波長送信部λ[1A]OUT１２−１、λ[2A]OUT１２−２、・・・、λ[nA]OUT１２−ｎに出力することで、信号入力部（ＴＰ）からの各チャネルの信号を波長送信部に割り付ける波長割付部２０と、波長マネジメントテーブル３００を有し、自装置内の波長使用状況や使用可否状態を監視し、信号入力部（ＴＰ）と波長送信部の割付を行いそれにより波長割付部２０を制御する波長管理部３０と、波長割付部２０から出力される信号を波長分割多重方式で用いる波長λ１、λ２、・・・、λｎの光信号に変換して波長合波部４０に出力する波長送信部λ[1A]OUT１２−１、λ[2A]OUT１２−２、・・・、λ[nA]OUT１２−ｎと、波長送信部からの複数の異なる波長λ１、λ２、・・・、λｎの光信号を合波して波長多重する波長合波部４０から構成される。
【００２５】
波長合波部４０で波長多重された信号は光伝送路としての光ファイバ５０に送出され、波長分割多重伝送装置Ｂ２００に送信される。
波長分割多重伝送装置Ｂ２００は、光ファイバ５０により送信される波長多重された信号を波長λ１、λ２、・・・、λｎの光信号に分波し、多重分離する波長分離部６０と、波長分離部６０で分離されたそれぞれの波長の信号を受信して装置内の信号に復号し、波長割付部２１に出力する波長受信部λ[1B]OUT１３−１、λ[2B]OUT１３−２、・・・、λ[nB]OUT１３−ｎと、各波長受信部から入力された信号を波長管理部３１の制御に基づき各チャネルに対応した信号出力部（ＲＰ）１４−１、１４−２、・・・、１４−ｎに出力する波長割付部２１と、波長マネジメントテーブル３０１を有し、自装置内の波長使用状況や使用可否状態を監視し、信号出力部（ＲＰ）と波長受信部の割付を行いそれにより波長割付部２１を制御する波長管理部３１と、端局装置[1B]１５−１、[2B]１５−２、・・・、[nB]１５−ｎに対応して設けられ、波長受信部で復号化された信号を受信し、各端局装置に適合した信号形式、速度で信号を送信する信号出力部（ＲＰ）１４−１、１４−２、・・・、１４−ｎから構成される。
【００２６】
上記構成における通信と波長割り付けの動作の概要は、次のとおりである。
端局装置[*A]（* は1〜n の任意の番号。以下、同様とする。)から出力された信号は、信号入力部[CH*A IN]に入力される。 信号入力部[CH*A IN]は、波長マネジメントテーブル３００に設定された管理情報から、波長割付部２０により、各波長送信部[λ*A OUT]に割付される。この時に割付けられた信号入力部[CH*A IN]と波長送信部[λ*A OUT]の情報により波長マネジメントテーブル３００は更新され、対向側のＷＤＭ伝送装置へ通知される。
【００２７】
同様にしてCH1A〜CHnAの信号をすべて割付けて、波長合波部４０で光波長多重を行い、光伝送路である光ファイバ５０へ送信する。
光伝送路を送信された信号は波長分離部６０で各々の波長に分離され、各波長受信部[λ*B IN]に入力される。波長受信部[λ*B IN]に入力された信号は、マネジメントテーブル３０１に設定された管理情報から、波長割付部２１により、各信号出力部[CH*B OUT]に割付られる。この時、波長受信部[λ*B IN]と信号出力部[CH*B OUT]は対向側の信号割付情報又はあらかじめ設定した割付情報を元に割付けされる。信号出力部[CH*B OUT]から出力された信号は、端局装置[*B]へ送信される。
【００２８】
上記波長割付部２０、２１は、Ｎ×Ｎ等のスイッチで実現される。また、波長管理部３０、３１は、後に説明する波長管理プログラムを実行するコンピュータで実現することができる。
【００２９】
次に、図２を参照して、波長管理部３０について、送信側のみならず受信側も含めて説明する。
波長管理部３０は波長マネジメントテーブルと制御部３１０と監視部３２０から構成される。
【００３０】
波長マネジメントテーブル３００には、割付テーブル３２０とチャネル状態管理テーブル３４０及び波長状態管理テーブル３５０（双方を合わせて状態管理テーブルということがある。）を含む。
【００３１】
割付テーブル３３０は、チャネル１〜ｎそれぞれのＩＮ部とＯＵＴ部、すなわち、信号入力部（ＴＰ）のチャネル１〜ｎと信号出力部（ＲＰ）のチャネル１〜ｎが、どの波長に割り付けられているかを設定し記憶するコンピュータのメモリ上の領域として実現することができる。図２には、チャネル１のＩＮ部（信号入力部）とＯＵＴ部（信号出力部）、チャネル２のＩＮ部とＯＵＴ部から順次チャネルｎのＩＮ部とＯＵＴ部までのエントリと波長１のＩＮ部（波長受信部）とＯＵＴ部（波長送信部）、波長２のＩＮ部とＯＵＴ部から順次波長ｎのＩＮ部とＯＵＴ部までのエントリが示されているが、チャネルか波長の一方のエントリだけでもよいし、ＩＮ部とＯＵＴ部ごとの並びとしてもよい。
【００３２】
また、光ファイバは送信用と受信用を別々に片方向として用いることを仮定して、それぞれ波長１から波長ｎを割り付ける割付テーブル３３０を例示しているが、光ファイバを双方向で用いる場合は、ＩＮ部とＯＵＴ部の波長は重ならないようにしなければならないから、送信と受信の波長を一つおきにする等の別の割り付け方法となる。
【００３３】
チャネル状態管理テーブル３４０は、チャネル１〜ｎそれぞれのＩＮ部とＯＵＴ部、すなわち、信号入力部（ＴＰ）１１のチャネル１〜ｎと信号出力部（ＲＰ）１４のチャネル１〜ｎの状態を記憶するコンピュータのメモリ上の領域として実現することができる。
【００３４】
波長状態管理テーブル３５０は、波長１〜ｎそれぞれのＩＮ部とＯＵＴ部、すなわち、波長受信部１３と波長送信部１４の状態を記憶するコンピュータのメモリ上の領域として実現することができる。
【００３５】
図示の例では、状態Ａが使用可能な状態、状態Ｂが使用中である状態、状態Ｃが使用不可の状態である。これらの状態は、図２の波長マネジメントテーブル３００の枠内にその状態遷移が記載されているように、状態Ａから状態Ｂもしくは状態Ｃに遷移し、状態Ｂから状態Ａもしくは状態Ｃに遷移するように記載されているが、これはソフト的な動きを示すものであり、状態Ｃであるハードウェアの障害が交換等により回復すれば、状態管理テーブルに状態Ａが設定されるのはもちろんである。
【００３６】
制御部３１０は、送信信号チャネル[ｉ]とそれを送信する波長[ｊ]の割付設定及び受信信号チャネル[k]とそれを受信する波長[m]の割付設定を割付テーブル３３０に行う処理、及び割付テーブル３３０の内容に基づいて波長割付部２０を制御して、信号入力部[CHiA IN]１１と波長送信部[λjA OUT]１２ 、波長受信部[λmB IN] １３と信号出力部[CHkB OUT]１４を接続し、波長割付を実行する。制御部３１０は、自装置の運用状態の対向装置に対する通知も行う。
【００３７】
監視部３２０は、信号入力部（ＴＰ）１１、信号出力部（ＲＰ）１４、波長送信部１２、波長受信部１３及び波長割付部２０等からの状態通知を受け付けることにより、それらの状態監視を行う。監視部３２０は、対向装置の送受信状態の監視も行う。
【００３８】
監視部３２０は、上記監視の結果に基づき、状態管理テーブルの書き換えを行う。
以上により、波長管理部３０では、自装置内の波長割付け状況や装置内のユニット状態管理情報（稼動中、稼働可、故障中）、対向装置での波長割付け状況等を監視し、使用可能なチャネルや波長、使用可能状態にあるチャネルや波長使用不可の状態にあるチャネルや波長を管理する。また、波長マネジメントテーブル３００に設定された情報をもとに波長割付部２０を制御する。
【００３９】
以下、波長割付部２０の制御と信号入力部ＴＰ等の状態遷移について、さらに説明する。
波長割付部２０の制御では、波長マネジメントテーブル３００に従って、手動設定／切り替え、自動設定／切り替えを可能とし、各設定では各部位の状態や対向装置の波長割付状態、光ファイバの種類に応じて波長の選定や割付組替えを行うようにできる。
【００４０】
具体的には、装置またはシステムの監視状況から、使用可能な状態Ａである信号入力部（ＴＰ）あるいは信号出力部（ＲＰ）と使用可能な波長を組み合わせ、波長割付部２０で当該信号入力部（ＴＰ）あるいは信号出力部（ＲＰ）と波長送信部あるいは波長受信部を割付ける。使用可能な状態Ａである信号入力部（ＴＰ）あるいは信号出力部（ＲＰ）と波長送信部あるいは波長受信部が割付けられると、該当の信号入力部（ＴＰ）あるいは信号出力部（ＲＰ）と波長送信部あるいは波長受信部は使用中のステータスである状態Ｂに移行する。
【００４１】
使用中の信号入力部（ＴＰ）あるいは信号出力部（ＲＰ）と波長送信部あるいは波長受信部が開放されると、それらは使用可能のステータスである状態Ａに移行し、再割付可能な待機状態となる。
【００４２】
使用可能または使用中のステータスである状態Ａまたは状態Ｂにある信号入力部（ＴＰ）あるいは信号出力部（ＲＰ）と波長送信部あるいは波長受信部が故障や回線異常により、異常状態に陥った場合には、使用不可状態のステータスである状態Ｃに移行し、波長の割付けができなくなる。
【００４３】
この場合、使用中の状態Ｂであった信号入力部（ＴＰ）あるいは信号出力部（ＲＰ）と波長送信部あるいは波長受信部の割付けは開放され、個々の状態により正常なものは使用可能状態Ａとして待機状態になり、異常状態のものは使用不可のステータスである状態Ｃに移行する。
【００４４】
従来のシステムでは、各チャネルと波長が固定的に割り付けられていたために、一箇所でも障害が発生するとそのチャネルと波長はまったく使うことができないものであったが、本発明によれば、上述のように個々の状態により正常なものは使用可能状態Ａとして待機状態とすることができ、ＷＤＭシステム内の波長帯域を有効に利用することができる。本発明の有効性については、後にさらに例を挙げて説明する。
【００４５】
次に、上記波長割り付けの処理をコンピュータに実行させる波長管理プログラムのフローについて、図３〜図５を参照して説明する。
図３は、手動設定時のフローチャートである。
まず、ステップＳ３０で、オペレータが波長管理部３０に接続された図示しないコンソール等の入力装置から割付テーブル３３０の設定データを入力し、信号入力部（ＴＰ）、信号出力部（ＲＰ）、波長送信部、波長受信部の割付を割付テーブル３３０に設定する。該設定データは、設備導入時に予定された使用する光ファイバの種類等の回線設計データや対向装置の波長割付状態に基づいて作成される。
【００４６】
次にオペレータは、状態管理テーブル生成用のコマンドを入力して、波長管理部３０を実現するコンピュータ（以下、単にコンピュータという。）にステップＳ３１の状態管理テーブル生成を実行させる。
【００４７】
ステップＳ３１の状態管理テーブル（３４０，３５０）の生成は、各部の状態通知を受けた監視部３２０の情報から、信号入力部（ＴＰ）、信号出力部（ＲＰ）、波長送信部、波長受信部の状態を設定することにより行う。装置の起動時（正常時）は、各部は状態Ａ（使用可能）にある。
【００４８】
次にオペレータは、波長割付制御用のコマンドを入力し、コンピュータにステップＳ３２の波長割付部２０の制御を実行させ、信号入力部（ＴＰ）と波長送信部及び信号出力部（ＲＰ）と波長受信部の割り付けを行う。正常起動時で状態管理テーブル（３４０，３５０）に示す各部の状態が状態Ａであれば、ステップＳ３０で設定された割付テーブル３３０の設定データに応じて送信チャネルと受信チャネルに波長を割り付けることができ、波長割付は完了する。もし、状態管理テーブル（３４０，３５０）で状態Ｂあるいは状態Ｃにある場合は、ステップＳ３０において割付テーブル３３０上でその部分に割り付けられていた部分の割付は保留され、波長割付は未完了となる。
【００４９】
ステップＳ３２での波長割付が完了できたか否かは、コンソール等に表示され、オペレータはそれを見て、ステップＳ３３の状態管理テーブル変更を実行させるコマンドかステップＳ３４の割付テーブル生成以降のステップを実行させるコマンドを入力する。
【００５０】
ステップＳ３３では、割り付けが完了した信号入力部（ＴＰ）と波長送信部及び信号出力部（ＲＰ）と波長受信部の状態を状態Ａから状態Ｂに変更する。
ステップＳ３４では、ステップＳ３２で割り付けが保留された部分について、状態管理テーブル（３４０，３５０）をサーチして状態Ａであって当該保留された部分と組み合わせ可能なものを見つけ、割付テーブルを生成する。上記各部の組み合わせをする際の順位は、若番から順に採用したり、予め優先順位をつけておき、その順位により選ぶようにすることができる。
【００５１】
次にステップＳ３５に移行し、上記ステップＳ３４で割付ができた部分についての割付テーブル３３０の変更を行う。
次のステップＳ３６では、ステップＳ３４、ステップＳ３５で新たに割付ができた部分に対応する波長割付部２０の波長割付制御を実行する。
【００５２】
最後に、ステップＳ３７で、新たに割り付けが完了した信号入力部（ＴＰ）と波長送信部及び信号出力部（ＲＰ）と波長受信部の状態管理テーブル（３４０，３５０）の状態を状態Ａから状態Ｂに変更する。
【００５３】
なお、上記説明において、ステップＳ３１からステップＳ３４までの処理は、オペレータのコマンド入力により実行されるとしたが、オペレータを介すことなくプログラム制御により自動的に実行できることは明らかである。
【００５４】
次に、自動設定時のフローを図４により説明する。
自動設定の場合は、手動設定の場合と異なり、割付テーブル３３０より先に状態管理テーブル（３４０，３５０）の生成を行う。まずステップＳ４０で、各部の状態通知を受けた監視部３２０の情報から、信号入力部（ＴＰ）、信号出力部（ＲＰ）、波長送信部、波長受信部の状態を設定することにより状態管理テーブル（３４０，３５０）の生成を行う。これは手動設定の場合のステップＳ３１と同様であり、装置の起動時（正常時）は、各部は状態Ａ（使用可能）に設定される。
【００５５】
次にステップＳ４１で、手動設定時の割付未完了によるステップＳ３４の割付テーブル生成と同様なロジックにより、割付テーブル３３０の生成を行う。ステップＳ３４での割付テーブル生成は、割り付けが保留された部分についてのものであったが、自動設定時の割付テーブル生成は全体についてであって、文字どおり割付テーブル３３０の生成を行う。
【００５６】
この際、送信波長と受信波長とは対になることから、対向装置である同一波長の波長送信部の状態と波長受信部の状態を記憶しておき、その情報を参照して割付テーブル３３０の割付データを設定する必要がある。例えば、図１に示した波長分割多重伝送装置Ａ１００の波長送信部１２−１が状態Ａ（使用可能）であっても、それと対になる対向装置である波長分割多重伝送装置Ｂ２００の波長受信部１３−１が状態ＢあるいはＣ（使用中あるいは使用不可）であった場合、波長送信部１２−１は割り付けることができない。
【００５７】
上記のように対向装置の状態を考慮して組み合わせを作り、割付を行うが、組み合わせる際の順位は、ステップＳ３４の場合と同様に、若番から順に採用したり、予め優先順位をつけておき、その順位により選ぶようにすることができる。
【００５８】
割付テーブル３３０が生成されるとステップＳ４２に進み、生成された割付テーブル３３０に基づいて、波長割付部２０の制御を実行し、信号入力部（ＴＰ）と波長送信部及び信号出力部（ＲＰ）と波長受信部の割り付けを行う。
【００５９】
次にステップＳ４３で、割り付けが完了した信号入力部（ＴＰ）と波長送信部及び信号出力部（ＲＰ）と波長受信部の状態を状態Ａから状態Ｂに変更して処理を終了する。
次に、図５を参照して、障害発生時の処理について説明する。
【００６０】
障害発生時の処理は、ステップＳ５０の障害発生通知を受信するところから始まる。装置の稼働中に、自装置の信号入力部（ＴＰ）、信号出力部（ＲＰ）及び波長送信部、波長受信部に状態変化が発生すると、自装置内の監視部３２０に状態変化通知が行われる。対向装置には制御装置３１０を介して自装置の運用状況が通知される。同様に、監視部３２０は対向装置の波長送信部、波長受信部の状態変化の通知を受信する。
【００６１】
次にステップＳ５１で、監視部３２０は自装置の信号入力部（ＴＰ）、信号出力部（ＲＰ）及び波長送信部、波長受信部の状態と対向装置の波長送信部、波長受信部の状態を収集する。
【００６２】
次にステップＳ５２で、監視部３２０が収集した状態情報を状態管理テーブル（３４０、３５０）に反映することで、状態管理テーブル（３４０、３５０）を再生成する。その際、故障が発生した部位は、状態Ｃに遷移する。また、先に述べたとおり、対となる同一波長の波長送信部と波長受信部は同時に使用不可状態となることから、対向装置の波長送信部に障害が発生した場合は対となる自装置の波長受信部をＣ状態とし、対向装置の波長受信部に障害が発生した場合は対となる自装置の波長送信部をＣ状態として割付の対象とならないようにすることができる。
【００６３】
次にステップＳ５３では、ステップＳ５２で生成された状態管理テーブル（３４０、３５０）に基づいて、割付テーブル３３０の再生成を行う。すなわち、割付テーブル３３０中の、状態Ｂから状態Ｃあるいは状態Ａから状態Ｃに遷移した部位のデータをクリアし、波長割付を開放する。
【００６４】
しかる後、状態管理テーブル（３４０、３５０）において、状態Ａにある信号入力部（ＴＰ）と波長送信部及び信号出力部（ＲＰ）と波長受信部を組み合わせ、割り付けの設定を割付テーブル３３０に行う。組み合わせる際の順位は、ステップＳ３４の場合と同様に、若番から順に採用したり、予め優先順位をつけておき、その順位により選ぶようにすることができる。
【００６５】
この組み合わせを行う際、対向装置の対となる波長送信部あるいは波長受信部が使用不可のために使用不可状態である波長受信部あるいは波長送信部に対して波長状態管理テーブル３５０に状態Ｃを設定しておけば、対向装置の状態を格別考慮する必要はない。そうでなけれな、別途対向装置の波長受信部及び波長送信部の状態を記憶しておき、割付テーブル再生成時に参照する必要がある。
【００６６】
割付テーブル３３０の再生成が終了するとステップＳ５４に移行し、生成された割付テーブル３３０に基づいて、波長割付部２０の制御を実行し、信号入力部（ＴＰ）と波長送信部及び信号出力部（ＲＰ）と波長受信部の割り付けを行う。
【００６７】
次にステップＳ５５において、割り付けが完了した信号入力部（ＴＰ）と波長送信部及び信号出力部（ＲＰ）と波長受信部の状態を状態Ａから状態Ｂに変更して処理を終了する。
【００６８】
次に、上記障害時の割付テーブルの再生成について、例を挙げてより具体的に説明をする。
今、図１に示したＷＤＭシステムが稼働中であり、信号入力部（ＴＰ）１１−１は波長送信部λ[1A]OUT１２−１に割り付けられているとする。このとき、信号入力部（ＴＰ）１１−１に障害が発生し、状態Ｂから状態Ｃに遷移すると、波長送信部λ[1A]OUT１２−１は状態Ｂから状態Ａに遷移する。
【００６９】
もし、障害発生前に、すべての信号入力部（ＴＰ）と波長送信部及び信号出力部（ＲＰ）と波長受信部が状態Ｂであったとすると、波長送信部λ[1A]OUT１２−１と組み合わせる状態Ａの信号送信部（ＴＰ）は存在しないから、割付テーブル３３０の再生成のステップＳ５３は行われず、それ以降のステップＳ５４、ステップＳ５５も実行されない。
【００７０】
しかし、信号入力部（ＴＰ）１１−１の障害発生前に、波長送信部の障害のために状態Ｂの使用中から使用可能の状態Ａに遷移していた信号入力部（ＴＰ）が存在した場合は、その中から１つが選択されて波長送信部λ[1A]OUT１２−１に割り付けられることになる。
【００７１】
上記と同じ仮定で、今度は波長送信部λ[1A]OUT１２−１に障害が発生したとする。状況は信号入力部（ＴＰ）１１−１に障害が発生した場合と同様であるが、波長送信部、波長受信部に１：Ｎ等の冗長構成が取られていれば、直ちに再割付が可能である。
【００７２】
次に、図１１に示した再生中継を行う従来のＷＤＭシステムと同様に再生中継を行う本発明のＷＤＭシステムを図６により説明する。
ＷＤＭ伝送装置１００−１とＷＤＭ伝送装置１００−２は再生中継装置４００を介して接続されている。再生中継装置４００は、光ファイバ５０−１によりＷＤＭ伝送装置１００−１から送信されてくる波長分割多重信号を各波長に分離して復号するＷＤＭ伝送装置１−１側の送受信部４００−１と、復号された各チャネル信号の再生(増幅)を行う図示しない再生部と再生された信号を再び各波長の信号とし、それらを合波して光ファイバ５０−２に送出するＷＤＭ伝送装置１００−２側の送受信部４００−２から構成されている。
【００７３】
上記ＷＤＭ伝送装置１００−１、ＷＤＭ伝送装置１００−２、再生中継装置４００の符号１〜９は、それぞれにおいて光ファイバ５０−１、光ファイバ５０−２側が各波長送受信部をそれと反対側が各チャネルの信号入出力部を模式的に表している。信号入出力部と波長送受信部間の接続は、波長割付を表している。すなわち、送受信部４００−１、４００−２には、本発明の波長分割多重伝送装置と同様な波長送受信部と波長割付部と波長管理部と信号入出力部を設け、信号チャネルと波長の割付を可変としている。
【００７４】
図６のＷＤＭシステムの状態は、ＷＤＭ伝送装置１００−１の１番の波長送受信部か再生中継装置４００の送受信部４００−１の１番の波長送受信部に障害が発生し、ＷＤＭ伝送装置１００−１では、チャネル１は予備の波長９に割り付けられ、再生中継装置４００の送受信部４００−１では、波長９がチャネル１に再び割り付けられており、他の部位の割付は障害発生前と同じとなっている。
【００７５】
したがって、本発明によれば波長の割付を可変にできるため、図示の状態において、再生中継装置４００とＷＤＭ伝送装置１００−２の間では、チャネル９と波長９を予備として活用することができる。
【００７６】
次に、図７〜図９により、本発明のＷＤＭ伝送装置を様々なシステム構成に適用した例を説明する。
図７は、本発明によるＷＤＭ伝送装置をＰ−Ｐ構成のシステムに適用した例を示す図である。ＷＤＭ伝送装置７０−１とＷＤＭ伝送装置７０−２が１対１に対向した構成である。
【００７７】
正常状態では、ＷＤＭ伝送装置７０−１のチャネル１の信号入出力部７１−１及びチャネル２の信号入出力部７２−１は、それぞれ波長λ１の波長送受信部７１−２及び波長λ２の波長送受信部７２−２に割り付けられており、波長送受信部７１−２と波長送受信部７２−２はそれぞれ対向装置であるＷＤＭ伝送装置７０−２の波長送受信部７１−３と波長送受信部７２−３に接続されている。
【００７８】
そして、ＷＤＭ伝送装置７０−２のチャネル１の信号入出力部７１−４及びチャネル２の信号入出力部７２−４は、それぞれ波長λ１の波長送受信部７１−３及び波長λ２の波長送受信部７２−３に割り付けられており、ＷＤＭ伝送装置７０−１のチャネル１の信号入出力部７１−１及びチャネル２の信号入出力部７２−１がそれぞれ収容する端局装置とＷＤＭ伝送装置７０−２のチャネル１の信号入出力部７１−４及びチャネル２の信号入出力部７２−４がそれぞれ収容する端局装置の間で通信が行われている。
【００７９】
ＷＤＭ伝送装置７０−１の波長λｎの波長送受信部７３−２及びＷＤＭ伝送装置７０−２の波長λｎの波長送受信部７３−３は予備であり、図７のシステムは１：２予備構成を採用している。
【００８０】
本発明によれば、波長λ１系あるいは波長λ２系に障害が発生したとき、チャネル１あるいはチャネル２の波長割付を予備の波長λｎに変更すればよい。したがって、予備構成として、チャネルｎの信号入出力部を設ける必要がなく、また、チャネル１の信号入出力部７１−１あるいはチャネル２の信号入出力部７２−１に収容された端局装置をチャネルｎの信号入出力部に収容替えする必要もないことから、１：Ｎ等の冗長構成を容易に実現することができる。
【００８１】
図８は、本発明によるＷＤＭ伝送装置をリング構成のシステムに適用した例を示す図である。
ＷＤＭ伝送装置Ａ(80-1)、ＷＤＭ伝送装置Ｂ(80-2)、 ＷＤＭ伝送装置Ｃ(80-3)、 ＷＤＭ伝送装置Ｄ(80-4)がリング状に接続され、それぞれに収容された端局装置８１−１、８１−２、８１−３、８１−４が代表して記載されている。このような構成において、端局装置８１−１と端局装置８１−２の間に太線で示す通信路８２が設定され、端局装置８１−２と端局装置８１−４の間に点線で示す、ＷＤＭ伝送装置Ａ(80-1)を介した通信路８３−１、８３−２が設定され、端局装置８１−１と端局装置８１−３の間に、一点鎖線で示すＷＤＭ伝送装置Ｄ(80-4)を介した通信路８４−１、８４−２が設定されている。
【００８２】
本発明によれば、例えば通信路８２のチャネルに波長λ１を割り付け、通信路８３−１のチャネルには波長λ２を、通信路８３−２のチャネルでは波長λ１を割り付け、さらに通信路８４−１のチャネルでは波長λ２を、通信路８４−２のチャネルでは波長λ１を割り付けるようにすることができる。
【００８３】
したがって、複数のＷＤＭ伝送装置をリング状に構成し、各ＷＤＭ伝送装置でＡＤＤ／ＤＲＯＰを行う際、リングを構成する光ファイバ上の波長配置をフレキシブルに変更することにより波長帯域を有効に活用することが可能になる。
【００８４】
図９は、本発明によるＷＤＭ伝送装置をメッシュ構成のシステムに適用した例を示す図である。
ＷＤＭ伝送装置Ａ(90-1)、ＷＤＭ伝送装置Ｂ(90-2)、 ＷＤＭ伝送装置Ｃ(90-3)、 ＷＤＭ伝送装置Ｄ(90-4)が、ＷＤＭ伝送装置Ａ(90-1)とＷＤＭ伝送装置Ｂ(90-2)間の伝送路９１−１、ＷＤＭ伝送装置Ａ(90-1)とＷＤＭ伝送装置Ｄ(90-4)間の伝送路９１−４、ＷＤＭ伝送装置Ａ(90-1)とＷＤＭ伝送装置Ｃ(90-3)間の伝送路９１−５、ＷＤＭ伝送装置Ｃ(90-3)とＷＤＭ伝送装置Ｂ(90-2)間の伝送路９１−２、ＷＤＭ伝送装置Ｃ(90-3)とＷＤＭ伝送装置Ｄ(90-4)間の伝送路９１−３、でメッシュ状に接続されている。
【００８５】
ＷＤＭ伝送装置Ｃ(90-3)とＷＤＭ伝送装置Ｄ(90-4)間の伝送路９１−３に障害が発生して使用できなくなっても、本発明によれば、伝送路９１−４、伝送路９１−５等の波長帯域の空き状況に応じて、経路変更をフレキシブルに行うことができる。
【００８６】
以上、詳細に説明したように、本発明により以下の波長マネジメント方式が提供される。
１．ＷＤＭ伝送装置において信号入力部と波長送信部、波長受信部と信号出力部の管理テーブルを設けることにより、各々の状態を監視し、各部を個別に組み合わせてシステムを構築することを可能とする波長マネジメント方式。
【００８７】
２．上記構成において、信号入力部と波長送信部、波長受信部と信号出力部を個別に管理し組み合わせて使用することにより、１：Ｎ等の冗長構成を容易に実現する波長マネジメント方式。
【００８８】
３．波長管理テーブルを設けることにより、複数の装置間の波長使用状況を管理し、１本の光ファイバー内で使用する波長帯域を有効に利用する波長マネジメント方式。
４．波長管理テーブルを設けることにより、複数の装置からなるシステムにおいて、波長毎にいくつかの経路を選択することができる波長マネジメント方式。
【００８９】
５．送信側装置の波長利用状態を管理し適切な波長を選択する機能及び、送信側装置の状態を受信側装置に通知する機能及び送信側装置の状態通知を受けることにより、受信波長割付を制御する機能を有する波長マネジメント方式。
【００９０】
（付記１）
収容する端局装置ごとに設けられ該端局装置との間の回線上の信号を入力し装置内の信号に復号する信号入力部と、波長分割多重方式で用いる波長ごとに設けられ前記信号入力部から出力された信号を波長分割多重方式で用いる波長の光信号に変換する波長送信部と、該各波長送信部の出力を合波し波長分割多重信号を生成して光伝送路に送出する波長合波部を備えた波長分割多重伝送装置において、
前記各信号入力部と前記各波長送信部の間の接続を形成することにより前記各端局装置との間の回線上の信号に前記波長分割多重方式で用いる波長を割り付ける波長割付部と、
少なくとも前記信号入力部と前記波長送信部の状態を監視し、その監視結果に基づいて前記波長分割部に前記各信号入力部と前記各波長送信部の間の接続を形成させる制御を実行する波長管理部と、
を備えたことを特徴とする波長分割多重伝送装置。
（付記２）
光伝送路から送出されてきた波長分割多重信号を各波長の光信号に分波し多重分離を行う波長分離部と、
波長分割多重方式で用いる波長ごとに設けられ前記波長分離部で多重分離された光信号を装置内の信号に復号する波長受信部と、
収容する端局装置ごとに設けられ前記波長受信部から出力された信号を各端局装置に適合した信号に変換して該端局装置との間の回線に出力する信号出力部と、
を備え、
前記波長割付部は、さらに、前記各信号出力部と前記各波長受信部の間の接続を形成することにより前記各端局装置との間の回線上の信号に前記波長分割多重方式で用いる波長を割り付け、
前記波長管理部は、さらに、少なくとも前記信号出力部と前記波長受信部の状態を監視し、その監視結果に基づいて前記波長分割部に前記各信号出力部と前記各波長受信部部の間の接続を形成させる制御を実行すること
を特徴とする付記１に記載の波長分割多重伝送装置。
（付記３）
前記波長管理部は、
前記各端局装置との間の回線上の信号に対して割り付けられた前記波長分割多重方式で用いる波長を管理する割付テーブルと、
前記各信号入力部と前記各信号出力部、前記各波長送信部と前記各波長受信部の状態を使用可能状態、使用不可状態、及び使用中状態で管理する状態管理テーブルを備え、
該状態管理テーブルの情報に基づいて前記割付テーブルを生成し、該割付テーブルの情報に基づいて、前記波長割付部を制御すること
を特徴とする付記２に記載の波長分割多重伝送装置。
（付記４）
前記波長管理部は、さらに、制御部と監視部を備え、
該制御部は、前記状態管理テーブルの情報に基づいて使用可能状態の信号入力部と使用可能状態の波長送信部、及び使用可能状態の信号出力部と使用可能状態の波長受信部の組み合わせを生成し、該生成された組み合わせにより前記各端局装置との間の回線上の信号に対して前記波長分割多重方式で用いる波長を割り付けて割付テーブルを生成するとともに、対向装置に自装置の状態を通知し、
該監視部は、前記各信号入力部と前記各信号出力部、前記各波長送信部と前記各波長受信部の状態を監視して前記状態管理テーブルの情報を管理するとともに、前記波長割付部と対向装置の送受信状態を監視すること
を特徴とする付記３に記載の波長分割多重伝送装置。
（付記５）
前記監視部は、障害発生通知を受信すると、状態情報を収集して該情報を反映した状態管理テーブルを生成し、
前記制御部は、該状態管理テーブルの情報を参照して使用可能状態の信号入力部と使用可能状態の波長送信部、及び使用可能状態の信号出力部と使用可能状態の波長受信部の組み合わせを生成し、該生成された組み合わせにより前記各端局装置との間の回線上の信号に対して前記波長分割多重方式で用いる波長を割り付けて割付テーブルを再生成し、該再生成された割付テーブルに基づいて波長割付部を制御するとともに、該割付結果に基づいて前記状態管理テーブルの情報を変更すること
を特徴とする付記４に記載の波長分割多重伝送装置。
（付記６）
付記３記載の状態管理部の機能をコンピュータに実行させる波長管理プログラムにおいて、
対向装置の送受信状態及び自装置内の各部の状態情報を収集する状態情報収集ステップと、
前記状態情報収集ステップで収集した情報に基づいて、前記各信号入力部と前記各信号出力部、前記各波長送信部と前記各波長受信部の状態を記憶した前記状態管理テーブルを生成する状態管理テーブル生成ステップと、
前記生成された状態管理テーブルに基づいて、使用可能状態の信号入力部と使用可能状態の波長送信部、及び使用可能状態の信号出力部と使用可能状態の波長受信部の組み合わせを生成し、該生成された組み合わせにより前記各端局装置との間の回線上の信号に対する前記波長分割多重方式で用いる波長の割付情報を記憶する前記割付テーブルを生成する割付テーブル生成ステップと、
前記生成された割付テーブルの割付情報に基づいて前記波長割付部を制御することにより、前記波長割付部に、前記各信号入力部と前記各波長送信部の間及び前記各信号出力部と前記各波長受信部部の間の接続を形成させる波長割付制御ステップと、
前記波長割付制御ステップで接続を形成された前記各信号入力部と前記各波長送信部、及び前記各信号出力部と前記各波長受信部の前記状態管理テーブルに記憶された状態を使用可能状態から使用中状態に変更する状態管理テーブル変更ステップ
を前記コンピュータに実行させる波長管理プログラム。
（付記７）
前記状態管理テーブル生成ステップにおいて、前記対向装置の送受信状態により、前記波長送信部及び前記波長受信部の状態を使用不可状態として記憶することを特徴とする付記６に記載のプログラム。
（付記８）
前記割付テーブル生成ステップにおいて、前記生成された状態管理テーブルから予め定められた優先順位にしたがって前記各信号入力部及び前記各信号出力部で使用可能状態のものを抽出し、一方前記生成された状態管理テーブルから予め定められた優先順位にしたがって前記各波長送信部及び前記各波長受信部で使用可能状態のものを抽出し、順次抽出された信号入力部と波長送信部、及び信号出力部と波長受信部の組み合わせを生成し、前記各波長送信部及び前記各波長受信部で使用可能状態のものを抽出できなければ当該ステップの処理を直ちに終了し、抽出できれば、前記各信号入力部及び前記各信号出力部で使用可能状態のものが抽出できなくなるまで前記組み合わせを生成する処理を繰り返すことを特徴とする付記６に記載の波長管理プログラム。
（付記９）
予備の波長送信部と波長受信部を備え、前記波長送信部あるいは前記波長受信部が使用不可能な状態になった場合に、該使用不可能な状態となった波長送信部あるいは波長受信部と前記波長割付部において接続が形成されていた信号入力部あるいは信号出力部と前記予備の波長送信部あるいは前記予備の波長受信部の接続を前記波長割付部において形成することを特徴とする付記２に記載の波長分割多重伝送装置。
（付記１０）
付記２に記載の波長分割多重伝送装置による１対１構成の波長分割多重伝送システムにおける再生中継装置において、
各波長分割多重伝送装置に対向する送受信部に前記波長分割多重伝送装置と同様な波長送受信部と波長割付部と波長管理部と信号入出力部を設け、信号チャネルと波長の割付を可変としたことを特徴とする再生中継装置。
【図面の簡単な説明】
【００９１】
【図１】本発明による全体構成図である。
【図２】波長管理部の機能ブロック図である。
【図３】波長割付を手動設定するフロー図である。
【図４】波長割付を自動設定するフロー図である。
【図５】障害発生時の波長割付フロー図である。
【図６】本発明による再生中継システム図である。
【図７】本発明のＰ−Ｐ構成システムへの適用図である。
【図８】本発明のリング構成システムへの適用図である。
【図９】本発明のメッシュ構成システムへの適用図である。
【図１０】従来例による全体構成図である。
【図１１】従来例による再生中継システム図である。
【符号の説明】
【００９２】
１、２        従来の波長分割多重伝送装置
３            従来の再生中継装置
10-1〜10-n    端局装置
11-1〜11-n    信号入力部
12-1〜12-n    波長送信部
13-1〜13-n    波長受信部
14-1〜14-n    信号出力部
15-1〜15-n    端局装置
２０、２１    波長割付部
３０、３１    波長管理部
４０          波長合波部
５０          光ファイバ
６０          波長分離部
100,200       本発明の波長分割多重装置
３００        波長マネジメントテーブル
３１０        制御部
３２０        監視部
３３０        割付テーブル
３４０        チャネル状態管理テーブル
３５０        波長状態管理テーブル
４００        本発明による再生中継装置
【図３】
2007259140.tif 000003
【図４】
2007259140.tif 000004
【図５】
2007259140.tif 000005
【図６】
2007259140.tif 000006
【図７】
2007259140.tif 000007
【図８】
2007259140.tif 000008
【図９】
2007259140.tif 000009
【図１０】
2007259140.tif 000010
【図１１】
2007259140.tif 000011
【図１】
2007259140.tif 000012
【図２】
2007259140.tif 000013